(57)【要約】      （修正有）【課題】誰でも簡単、スムーズで効率的に爪の手入れができ、且つ、安全で安価なＶ型直線案内溝付爪削り具を提供する。【解決手段】中空の爪削り具ケース本体１ａと、本体の一端に、脱落防止付キャップ１ｃを着脱可能に設け、本体の他端部には、先細円筒状部材１ｂを連通した爪削り具用ケース１を設け、先細円筒状部材の中央上部には、所定長さのＶ字状の溝部１ｂ’を直線状に設け、左右には、断面形状が略Ｍ字状の爪削り刃２の左右側板に適合する挿入溝をそれぞれ形成し、且つ、爪削り刃は、Ｖ型直線案内溝Ｄの中央底部に、爪削り用の研削穴２ａが左右対称のハ字形状に、複数個穿設されている。Ｖ型直線案内溝の底部に爪先を宛がい、指又は爪削り具を前後方向に移動させながら爪先を削る。【選択図】図６
0003186143.tif 000002
【実用新案登録請求の範囲】
【請求項１】
中空の爪削り具ケース本体（１ａ）と、該本体の一端に、脱落防止付キャップ（１ｃ）を着脱可能に設け、該本体の他端部には、先細円筒状部材（１ｂ）を連通した爪削り具用ケース（１）を設け、該先細円筒状部材（１ｂ）の中央上部には、所定長さのＶ字状の溝部（１ｂ'）を直線状に設け、前記先細円筒状部材（１ｂ）の左右に、断面形状が略Ｍ字状の爪削り刃（２）の左右側板（２ｂ）（２ｂ'）に適合する挿入溝（１ｂ"）（１ｂ"）をそれぞれ形成し、且つ、前記爪削り刃（２）は、Ｖ型直線案内溝（Ｄ）の中央底部に、爪削り用の研削穴（２ａ）を、複数個穿設してなり、前記Ｖ型直線案内溝（Ｄ）の底部に爪先（ＦＦ）を宛がい、指（Ｆ）又は爪削り具（ＦＰ）を前後方向に移動させながら爪先を削ることを特徴とするＶ型直線案内溝付爪削り具。
【請求項２】
略Ｍ字状の爪削り刃（２）の直線溝部（Ｄ）に、複数の爪削り用の研削穴（２ａ）を左右対称なハ字形状に形成し、且つ、前後方向に対して所定間隔離した千鳥状に並設して設けたことを特徴とする請求項１記載のＶ型直線案内溝付爪削り具。
【請求項３】
略Ｍ字状の爪削り刃（２）の左右側板（２ｂ）（２ｂ'）の形状を、着脱容易な先細三角形状に形成して設けたことを特徴とする請求項１及び請求項２記載のＶ型直線案内溝付爪削り具。
【考案の詳細な説明】
【技術分野】
【０００１】
この考案は、Ｖ型直線案内溝の底部に爪先を宛がい、指又は爪削り具を前後方向に移動させながら爪先を削るためのＶ型直線案内溝付爪削り具に関するものである。
【背景技術】
【０００２】
本来、爪の手入れは、爪切り専用の爪切りで爪を切った後、仕上げ用に爪の先端部をＲ状に面取りする為、面取り専用のヤスリを使って仕上げているのが一般的である。
【０００３】
又、爪切りのハンドル表面部にヤスリが付いている物も市販されているが、仕上がり状態が十分とは言えず、誰でも簡単、且つ、スムーズで効率的に爪の手入れができ、且つ、安全で安価な爪削り具の開発・提供が求められている。
【先行技術文献】
【特許文献】
【０００４】
これまでに出願されている爪削り具の特許文献を参考の為、紹介する（特許文献１〜２参照）。
【特許文献１】登録実用新案第３１４５１５２号
【特許文献２】登録実用新案第３０２２８３３号
【０００５】
上記、一方の特許文献１では、爪切り具本体は、手指で把持され、爪を前記爪削り部３の刃先に当てて、摺動することにより爪を削るように構成され、前記爪削り具本体には、球面状、又は曲面状、又は円錐状、又は角錐状等の隆起部が設けられ、掌全体を摺動反副運動をさせ易く構成されるとともに、長期の使用により、刃先が磨滅して切味が落ちてきたときは、容易に刃先を研ぐことができると共に、前記爪削り部は、金属、セラミックス、合成樹脂、陶器等の硬質材料により構成された爪削り具である。
【０００６】
又、上記、他方の特許文献２では、本体ケース先端のアーチ形曲面に添うヤスリを取り付けることを特徴とする爪削り具である。
【０００７】
従って、これまでに出願されている爪削り具と本考案のＶ型直線案内溝付爪削り具は、安全性や機能性から見て、全く違ったものであり、これまでの物に比較し、有益なる効果を奏し、デザイン的にもスマートで実用性が大である。
【考案の開示】
【考案が解決しようとする課題】
【０００８】
そこで、上記課題を解決する為に、この考案は誰でも簡単、且つ、スムーズで効率的に爪の手入れができ、且つ、安全で安価なＶ型直線案内溝付爪削り具を開発・提供する事にある。
【課題を解決するための手段】
【０００９】
この課題を解決するための手段として、中空の爪削り具ケース本体と、該本体の一端に、脱落防止付キャップを着脱可能に設け、該本体の他端部には、先細円筒状部材を連通した爪削り具用ケースを設け、該先細円筒状部材の中央上部には、所定長さのＶ字状の溝部を直線状に設け、前記先細円筒状部材の左右に、断面形状が略Ｍ字状の爪削り刃の左右側板に適合する挿入溝をそれぞれ形成し、且つ、前記爪削り刃は、Ｖ型直線案内溝の中央底部に、爪削り用の研削穴を、複数個穿設してなり、前記Ｖ型直線案内溝の底部に爪先を宛がい、指又は爪削り具を前後方向に移動させながら爪先を削ることを特徴とするものである。
【００１０】
又、略Ｍ字状の爪削り刃の直線溝部に、複数の爪削り用の研削穴を左右対称なハ字形状に形成し、且つ、前後方向に対して、所定間隔離した千鳥状に並設して設けたものである。
【００１１】
又、略Ｍ字状の爪削り刃の左右側板の形状を、着脱容易な先細三角形状に形成して設けたものである。
【考案の効果】
【００１２】
この考案の効果として、中空の爪削り具ケース本体と、該本体の一端に、脱落防止付キャップを着脱可能に設け、該本体の他端部には、先細円筒状部材を連通した爪削り具用ケースを設け、該先細円筒状部材の中央上部には、所定長さのＶ字状の溝部を直線状に設け、前記先細円筒状部材の左右に、断面形状が略Ｍ字状の爪削り刃の左右側板に適合する挿入溝をそれぞれ形成し、且つ、前記爪削り刃は、Ｖ型直線案内溝の中央底部に、爪削り用の研削穴を、複数個穿設してなり、前記Ｖ型直線案内溝の底部に爪先を宛がい、指又は爪削り具を前後方向に移動させながら爪先を削ることを特徴とし、又、略Ｍ字状の爪削り刃の直線溝部に、複数の爪削り用の研削穴を左右対称なハ字形状に形成し、且つ、前後方向に対して、所定間隔離した千鳥状に並設して設け、更に略Ｍ字状の爪削り刃の左右側板の形状を、着脱容易な先細三角形状に形成して設けたことで、誰もが簡単、且つ、スムーズで効率的に爪の手入れができ、且つ、安全・安価で軽量であるため、取り扱いが容易である等、極めて有益なる効果を奏するものである。又、爪に対してＶ字溝部の底の部分を一直線にストロークできる為、安定した爪の仕上げが可能に成る。又、刃の形状を左右対称なＶ字状にし、且つ、爪削り用研削穴を複数のハ字形の千鳥状にそれぞれ形成することで、一直線にストロークした時、ハ字形の刃が約４５°の角度で爪に接しながらハ字形の刃の一方が爪の表から裏、もう一方のハ字形の刃が裏から表へと、交互に約４５°の角度で滑るように削るため、爪の表裏がカエリの無い綺麗な仕上げに加工でき、更に爪の削り滓が長くなり、研削穴の部分での、逆流によって削り滓が飛散することが少なくて済む等、効果は多大である。
【図面の簡単な説明】
【００１３】
【図１】この考案の一実施例を示し、（Ａ）はＶ型直線案内溝付爪削り具の正面図で、（Ｂ）は背面図である。
【図２】この考案の一実施例を示し、Ｖ型直線案内溝付爪削り具の一部欠截平面図である。
【図３】この考案の一実施例を示し、Ｖ型直線案内溝付爪削り具の一部欠截側面図である。
【図４】この考案の一実施例を示し、図２のａ−ａ矢視拡大断面図である。
【図５】この考案の一実施例を示し、（Ａ）は爪削り刃の平面図で、（Ｂ）は右側面図で、（Ｃ）は図５（Ａ）のｂ−ｂ矢視拡大断面図である。
【図６】この考案の一実施例を示し、（Ａ）はＶ型直線案内溝付爪削り具の右側斜視図で、（Ｂ）はＶ型直線案内溝付爪削り具のキャップを外した時の、一部欠截右側斜視図である。
【図７】この考案の使用例を示し、爪削り要領を示す参考右側斜視図である。
【図８】この考案の従来例を示し、爪先端仕上げ用ヤスリの右側斜視図である。
【考案を実施するための形態】
【００１４】
この考案を実施するための形態として、中空の爪削り具ケース本体（１ａ）と、該本体の一端に、脱落防止付キャップ（１ｃ）を着脱可能に設け、該本体の他端部には、先細円筒状部材（１ｂ）を連通した爪削り具用ケース（１）を設け、該先細円筒状部材（１ｂ）の中央上部には、所定長さのＶ字状の溝部（１ｂ'）を直線状に設け、前記先細円筒状部材（１ｂ）の左右に、断面形状が略Ｍ字状の爪削り刃（２）の左右側板（２ｂ）（２ｂ'）に適合する挿入溝（１ｂ"）（１ｂ"）をそれぞれ形成し、且つ、前記爪削り刃（２）は、Ｖ型直線案内溝（Ｄ）の中央底部に、爪削り用の研削穴（２ａ）を、複数個穿設してなり、前記Ｖ型直線案内溝（Ｄ）の底部に爪先（ＦＦ）を宛がい、指（Ｆ）又は爪削り具（ＦＰ）を前後方向に移動させながら爪先を削ることを特徴とするＶ型直線案内溝付爪削り具から構成される。
【００１５】
又、略Ｍ字状の爪削り刃（２）の直線溝部（Ｄ）に、複数の爪削り用の研削穴（２ａ）を左右対称なハ字形状に形成し、且つ、前後方向に対して、所定間隔離した千鳥状に並設して設けたことを特徴とするＶ型直線案内溝付爪削り具から構成される。
【００１６】
又、略Ｍ字状の爪削り刃（２）の左右側板（２ｂ）（２ｂ'）の形状を、着脱容易な先細三角形状に形成して設けたことを特徴とするＶ型直線案内溝付爪削り具から構成される。
【実施例１】
【００１７】
そこで、この考案の一実施例を図１〜図６に基づいて詳述すると、本考案のＶ型直線案内溝付爪削り具は、図２、図３に示すように、中空の爪削り具ケース本体（１ａ）と、該本体の一端に、脱落防止付キャップ（１ｃ）を着脱可能に設け、該本体の他端部には、先細円筒状部材（１ｂ）を連通した爪削り具用ケース（１）を設け、該先細円筒状部材（１ｂ）の中央上部には、所定長さのＶ字状の溝部（１ｂ'）を直線状に設け、前記先細円筒状部材（１ｂ）の左右に、断面形状が略Ｍ字状の爪削り刃（２）の左右側板（２ｂ）（２ｂ'）に適合する挿入溝（１ｂ"）（１ｂ"）をそれぞれ形成し、且つ、前記爪削り刃（２）は、Ｖ型直線案内溝（Ｄ）の中央底部に、爪削り用の研削穴（２ａ）を、複数個穿設してなり、前記Ｖ型直線案内溝（Ｄ）の底部に爪先（ＦＦ）を宛がい、指（Ｆ）又は爪削り具（ＦＰ）を前後方向に移動させながら爪先を削ることを特徴とするＶ型直線案内溝付爪削り具から構成される。
【００１８】
前記、脱落防止付キャップ（１ｃ）は、図３に示すように、ケース本体の後部に脱落防止用ロックピン（１ｄ）が嵌着され、且つ、キャップ側には案内溝が設けられ、キャップ挿着時は、脱落防止用ロックピン（１ｄ）の位置に案内溝を合わせて押し込み、右側方向に回動させてロックする。又、キャップを外す時は、左方向に回動させて、手前に引っ張って取り外すものである。
【００１９】
そして、図１（Ａ）はＶ型直線案内溝付爪削り具の正面図で、（Ｂ）は背面図である。
【００２０】
又、図４は、図２のａ−ａ矢視断面拡大図を示し、前図でも解るようにケース本体の先細円筒状部材（１ｂ）の左右には、ハ字状の挿入溝（１ｂ"）（１ｂ"）がそれぞれ設けられ、略Ｍ字状の爪削り刃（２）をケース本体の後部から前方方向に挿入できるよう設けられている。
【００２１】
又、図５は爪削り刃（２）を示し、（Ａ）は平面図で、（Ｂ）は右側面図で、（Ｃ）は図５（Ａ）のｂ−ｂ矢視拡大断面図である。
【００２２】
そして、前記図５（Ｃ）に示すように、爪削り刃（２）の断面形状は、略Ｍ字状に形成され、Ｖ字状の溝部の角度（α）は、ケース先端の先細円筒状部材（１ｂ）のＶ字状の溝部（１ｂ'）に適合するよう設けられている。
【００２３】
又、爪削り刃（２）の研削穴（２ａ）は、図５（Ａ）でもわかるように、一直線状のＶ字溝部（Ｄ）を中心にして、複数の左右対称なハ字形状に形成し、且つ、前後方向に対して、所定間隔離した千鳥状に並設して設けている。
【００２４】
そして、更に爪削り刃（２）の左右側板（２ｂ）（２ｂ'）の形状を、先細三角形状に形成して設けることで、爪削り刃（２）の着脱が容易に出来る様、考慮されている。
【００２５】
図６（Ａ）は、本考案のＶ型直線案内溝付爪削り具全体の右側斜視図で、（Ｂ）はケース本体後部の脱落防止付キャップ（１ｃ）を取り外した状態を示す右側斜視図である。
【００２６】
次に、Ｖ型直線案内溝付爪削り具の使用方法について説明すると、爪の手入れをする時は、図７に示すように、一方側の手でケース本体把持部を持って、他方側の手の指（Ｆ）爪先部（ＦＦ）を爪削り具のＶ字状の直線溝部（Ｄ）に沿って前後方向に移動させながら爪の先端部を研削する。又、当然ながら、逆の方法として、手の指側を固定して爪削り具を前後移動させながら爪の形状に沿わせて研削しても構わない。
【００２７】
そして、爪削り具（ＦＰ）の内部に溜まった爪削り滓（ＤＲ）を取り出す時は、図６（Ｂ）に示すように、ケース本体後部の脱落防止付キャップ（１ｃ）を取り外して、塵箱等に捨てる。
【実施例２】
【００２８】
図８は、この考案の従来例を示し、爪先端仕上げ用ヤスリの右側斜視図である。従来は爪切り専用の用具を使用して爪を切り、更に、図８に示すようなヤスリ状の用具で、爪の先端部を滑らかにＲ状に仕上げていた為、非常に手間が掛かっていた。
【産業上の利用可能性】
【００２９】
この考案のＶ型直線案内溝付爪削り具は、誰でも簡単、且つ、スムーズで効率的に爪の手入れができ、且つ、安全で安価であるため、製造・販売することで、多くの関係市場に寄与する為、産業上の利用可能性を有する。
【符号の説明】
【００３０】
１  爪削り具用ケース
１ａ  爪削り具用ケース本体
１ａ'  ケース本体空洞部
１ｂ  先細円筒状部材
１ｂ'  Ｖ字状の溝部
１ｂ"  挿入溝
１ｃ  脱落防止付キャップ
１ｃ'  キャップ溝部
１ｄ  脱落防止用ロックピン
１ｅ  ケース先端空洞部
２  爪削り刃
２ａ  爪削り用研削穴
２ｂ  右側板
２ｂ'  左側板
Ｄ  直線溝部
ＤＲ  爪削り滓
Ｆ  指
ＦＦ  爪先部
ＦＰ  爪削り具
α  所定角度（Ｖ字溝部）
【図１】
0003186143.tif 000003
【図２】
0003186143.tif 000004
【図３】
0003186143.tif 000005
【図４】
0003186143.tif 000006
【図５】
0003186143.tif 000007
【図６】
0003186143.tif 000008
【図７】
0003186143.tif 000009
【図８】
0003186143.tif 000010
【手続補正書】
【提出日】平成25年7月12日(2013.7.12)
【手続補正１】
【補正対象書類名】実用新案登録請求の範囲
【補正対象項目名】請求項３
【補正方法】変更
【補正の内容】
【請求項３】
略Ｍ字状の爪削り刃（２）の左右側板（２ｂ）（２ｂ′）の形状を、着脱容易な先細三角形状に形成して設けたことを特徴とする請求項１または請求項２記載のＶ型直線案内溝付爪削り具。